(57)【要約】【課題】アナログ電子時計において、新たな動力源を追加することなく、簡単な構成で、曜表示手段の曜表示を早送りで切り替える。【解決手段】曜板２２は、時・曜系モータ１４１ｂの駆動力を時針１４０に伝達する時輪列１４２から分岐された曜板駆動用輪列機構２３によって、駆動力が伝達されるため、曜板２２の曜の表示の切替えに要する駆動力は、駆動する時・曜系モータ１４１ｂによってまかなわれ、曜板２２を駆動するための専用の新たな動力源を追加する必要がなく、計時部１１０の計時内容を表示するための制御信号を出力する制御部１２０が、曜板２２の曜の表示を切り替える期間に、時針１４０によって時刻を表示する通常送り期間よりも高い周波数の制御信号を出力することにより、曜板２２の切替期間は曜板駆動用輪列機構２３を早送りして、曜表示の切替えに要する時間を短縮する。【選択図】図２
2008070239.tif 000002
【特許請求の範囲】
【請求項１】
時刻を計時する計時手段と、
時刻を表示する指針と、
曜を表示する曜表示手段と、
入力された制御信号に応じて駆動力を発生する動力源と、
前記動力源が発生した駆動力を前記指針に伝達する指針駆動機構と、
前記指針駆動機構から分岐して、前記動力源が発生した駆動力を前記曜表示手段に伝達する曜表示駆動機構と、
前記計時手段の計時内容を表示するための制御信号を出力する制御部とを備え、
前記制御部は、前記曜表示駆動機構による前記曜表示手段の曜の表示を切り替える期間は、前記指針によって時刻を表示する通常送り期間よりも高い周波数の制御信号を出力することを特徴とするアナログ電子時計。
【請求項２】
前記曜表示手段には、互いに異なる種類の複数の曜表示群が表され、前記通常送り期間は、前記複数種類の曜表示群のうち特定の一種類の曜表示群に属する曜が表示されるように、前記制御部は、前記制御信号の出力を制御することを特徴とする請求項１に記載のアナログ電子時計。
【請求項３】
前記曜表示手段は、その回転中心を中心とする周方向について、各種類の曜表示群にそれぞれ属する曜の表示ごとに前記複数の種類で隣り合うように、表されていることを特徴とする請求項２に記載のアナログ電子時計。
【請求項４】
前記曜表示手段は、その回転中心を中心とする所定の角度範囲ごとに、各種類の曜表示群の曜表示が集中して表されていることを特徴とする請求項２に記載のアナログ電子時計。
【請求項５】
前記曜表示駆動機構は、前記曜表示手段に固定された曜表示駆動部と、前記指針駆動機構の連続的駆動力を受けて間欠的駆動力に変換し、該間欠的駆動力を前記曜表示駆動部に伝達する間欠駆動手段とを備えたことを特徴とする請求項２から４のうちいずれか１項に記載のアナログ電子時計。
【請求項６】
前記曜表示駆動部は、前記曜表示手段に表された曜の数の自然数倍の歯を有する曜星車であり、
前記間欠駆動手段は、前記曜星車の歯を間欠的に送る爪を有する曜回し車であることを特徴とする請求項５に記載のアナログ電子時計。
【請求項７】
前記間欠駆動手段は、連続的に駆動される連続駆動体と、該連続駆動体に対する位置関係に応じた時間だけ前記連続駆動体の連続的な駆動動作が伝達されない従動体とが連結されていることを特徴とする請求項５または６に記載のアナログ電子時計。
【請求項８】
前記連続駆動体には、その回転中心を中心とする周方向に沿って、前記回転中心回りの角度αに亘る円弧状の通路が形成され、
前記従動体は、前記連続駆動体の回転中心と同心に回転可能であるとともに、前記連続駆動体の前記通路に挿入される突起が形成され、
前記突起が前記通路に沿って案内される範囲で、前記連続駆動体は前記従動体に対して空転可能であり、
前記曜表示手段の曜の表示を切り替える期間に切り替えるべき曜の表示の数をｐとしたとき、前記制御部は、前記曜の表示を切り替える期間に、前記連続駆動体を正転向きに（ｐ−１）×３６０°＋α°の角度だけ高速で回転させるように、前記高い周波数の制御信号を出力し、その後、前記連続駆動体を反転向きにα°の角度だけ高速で巻き戻すように、前記高い周波数の制御信号を出力することを特徴とする請求項７に記載のアナログ電子時計。
【請求項９】
前記曜表示手段の曜の表示を切り替える期間に切り替えるべき曜の数がｍ（ｍ：自然数）[個]であり、
前記間欠駆動手段は、前記間欠的駆動力を、前記曜表示手段のｍ[個]の曜の表示を切り替えるのに必要な回数に対応する数の間欠伝達部を有することを特徴とする請求項５または６に記載のアナログ電子時計。
【請求項１０】
前記間欠駆動手段は、前記通常送り期間に対応した周波数の制御信号による駆動力では（ｍ＋１）×２４[時間]で１回転するように形成され、
前記制御部は、２４[時間]を超えない略２４時間は、前記通常送り期間に対応した周波数の制御信号を出力し、２４時間のうち前記通常送り期間を除いた残りの期間に、全ての数の前記間欠伝達部が前記曜表示駆動部に前記間欠的駆動力を伝達するように、前記高い周波数の制御信号を出力して、前記間欠駆動手段を１回転させることを特徴とする請求項９に記載のアナログ電子時計。
【請求項１１】
前記曜板駆動機構には、前記通常送り期間において前記曜表示手段の回転を阻止する曜表示回転阻止部が形成されていることを特徴とする請求項１から１０のうちいずれか１項に記載のアナログ電子時計。
【請求項１２】
前記曜表示駆動機構が分岐する指針駆動機構は、前記指針としての時針に前記駆動力を伝達する指針駆動機構であることを特徴とする請求項１から１１のうちいずれか１項に記載のアナログ電子時計。
【発明の詳細な説明】
【技術分野】
【０００１】
本発明は、アナログ電子時計に関し、詳細には、曜表示手段の曜表示の切替機構の改良に関する。
【背景技術】
【０００２】
従来より、アナログ電子時計として、本来の目的である時刻を表示する指針の他に、日や曜を表示するものが知られている。そして、日を表示する日表示手段としては、文字板に記載された数字を指針によって指示する方式や、ひと月分の日が記載された日板を回転させて、文字板の表示窓から、日板に記載された一つの日を露出させる方式などがある。
【０００３】
ここで、各月に属する日数は月に応じて異なるため、表示すべき日としては不必要な非存日（例えば、２月３０日、４月３１日など）が存在する。このため、通常の日表示機能付のアナログ電子時計では、月始めに手動で表示日を修正することが必要である。
【０００４】
しかし、この修正作業は、使用者にとっては煩わしい作業であり、また、毎月必ず行うという作業とは限らないため、修正を忘れる場合もある。
【０００５】
そこで、アナログ電子時計が有する、指針の運針動作を制御する制御部により、この修正作業を自動的に実行させる技術が提案されている（特許文献１）。この技術は、制御部が、現在の月を自動的に判定し、修正作業が必要な月と判定されたときは、日表示手段専用のモータを高速駆動して日表示手段を早送り制御し、非存日を表示しないようにしたものである。
【０００６】
これに対して、現実には非存の状態が存在しない曜（日、月、火、…、土）については、早送り制御することは考えられていない。
【０００７】
しかし、曜を表示する曜表示手段についても、以下の理由により、早送りすることが求められてきている。すなわち、
（１）日と曜との両表示手段を有し、上述した非存日排除機能を有するアナログ電子時計では、その見栄えの観点から、曜表示手段も日表示手段と同様の速度で切り替えることが要求されるようになっている。
（２）曜については、複数言語（例えば、英語と日本語）を切替え可能とすることが求められており、例えば英語の曜表示と日本語の曜表示とが交互に配置されている曜表示手段を用いて、通常は英語の表示だけ、または日本語の表示だけで使用したい場合には、実質的に一日分の曜を送るために、表示としては二日分（例えば、「ＳＵＮ」→「日」→「ＭＯＮ」、または「日」→「ＭＯＮ」→「月」）を一気に送らなければならず、この二日分を送るために要する時間を短縮したい、という要望がある。
【０００８】
このような要求に応える最も単純な技術は、曜表示手段専用のモータを設けて、日表示手段専用のモータと同様に高速駆動し、曜表示手段を早送り制御するものである。
【０００９】
しかし、この技術では、備えるべきモータの数が増加するため、これらを収容した時計は大型化し、また、製造コストの増大も招く。
【００１０】
また、日表示手段専用のモータを曜表示手段用のモータとしても用い、このモータが正転したとき日表示手段を送り、反転したとき曜表示手段を送るようにした技術も提案されている（特許文献２）。
【特許文献１】特開昭６２−１４７３９２号公報
【特許文献２】特公昭６０−１３１５３号公報
【発明の開示】
【発明が解決しようとする課題】
【００１１】
しかし、特許文献２に開示された技術は、機構が複雑であるため、実際のアナログ電子時計に適用するには設計が難しく、却ってサイズの大型化や製造コストの上昇を招く虞がある。
【００１２】
本発明は上記事情に鑑みなされたもので、新たな動力源を追加することなく、簡単な構成で、曜表示手段の曜表示を早送りで切り替えることができるアナログ電子時計を提供することを目的とする。
【課題を解決するための手段】
【００１３】
本発明に係るアナログ電子時計は、制御部から出力される制御信号を、曜の表示の切替え期間に、指針によって時刻を表示する通常送り期間よりも高い周波数に調整することにより、新たな動力源を追加することなく、簡単な構成で、曜表示手段の曜表示を早送りで切り替えるものである。
【００１４】
すなわち、本発明に係るアナログ電子時計は、時刻を計時する計時手段と、時刻を表示する指針と、曜を表示する曜表示手段と、入力された制御信号に応じて駆動力を発生する動力源と、前記動力源が発生した駆動力を前記指針に伝達する指針駆動機構と、前記指針駆動機構から分岐して、前記動力源が発生した駆動力を前記曜表示手段に伝達する曜表示駆動機構と、前記計時手段の計時内容を表示するための制御信号を出力する制御部とを備え、前記制御部は、前記曜表示駆動機構による前記曜表示手段の曜の表示を切り替える期間は、前記指針によって時刻を表示する通常送り期間よりも高い周波数の制御信号を出力することを特徴とする。
【００１５】
ここで、時刻を計時するとは、時刻の基準となる信号を発生するとともに、発生した基準となる信号を計数し、時刻データを発生させることを意味し、計時手段としては、例えば水晶発振器などを適用することができる。
【００１６】
曜表示手段としては、曜を示す漢字や英字等の曜表示が記載された曜板等の他、時計の文字板に予め記載された曜表示を指し示す曜指針などを適用することができる。
【００１７】
動力源としてはモータを適用することができる。
【００１８】
指針駆動機構や曜表示駆動機構としては、複数の歯車等が連なった輪列を適用することができる。
【００１９】
通常送り期間は、一般的な使用者が指針によって時刻を確認する時間帯、すなわち例えば、一日のうちで深夜の時間帯を除いた時間帯を意味する。
【００２０】
なお、制御部は、曜表示手段の曜の表示を切り替える期間の全期間に亘って、通常送り期間よりも高い周波数の制御信号を出力する必要はなく、曜表示手段の曜の表示を切り替える期間のうち一部の期間においてのみ、通常送り期間よりも高い周波数の制御信号を出力するものであってもよい。
【００２１】
このように構成された本発明に係るアナログ電子時計によれば、曜表示手段は、動力源の駆動力を指針に伝達する指針駆動機構から分岐された曜表示駆動機構によって、駆動力が伝達されるため、曜表示手段の曜の表示の切替えに要する駆動力は、指針を駆動する動力源によってまかなわれ、したがって、曜表示手段を駆動するための専用の新たな動力源を追加する必要がない。
【００２２】
また、計時手段の計時内容を表示するための制御信号を出力する制御部が、曜表示手段の曜の表示を切り替える期間に、指針によって時刻を表示する通常送り期間よりも高い周波数の制御信号を出力することによって、曜表示の切替期間は曜表示駆動機構を早送りすることができ、曜表示の切替えに要する時間を短縮することができる。
【００２３】
しかも、制御部から出力される制御信号の周波数を変化させるだけの簡単な構成で、曜表示手段の曜表示を早送りで切り替えることができる。
【００２４】
なお、曜板駆動機構のうち、通常送り期間において曜表示手段に当接する範囲に、曜表示手段の回転を阻止する曜表示回転阻止部が形成されていることが好ましく、このように構成されたアナログ電子時計によれば、通常送り期間は、曜表示回転阻止部が曜表示手段の回転を阻止するため、曜表示手段によって表示される曜表示が不用意に動くことがなく、見栄えが損なわれるのを防止することができる。
【発明の効果】
【００２５】
本発明に係るアナログ電子時計によれば  新たな動力源を追加することなく、簡単な構成で、曜表示手段の曜表示を早送りで切り替えることができる。
【発明を実施するための最良の形態】
【００２６】
以下、本発明に係るアナログ電子時計の具体的な実施の形態について、図面を参照して説明する。
（実施形態１）
図１は、本発明に係るアナログ電子時計の実施形態１を示す外観図、図２（ａ）は、図１に示したアナログ電子時計２００の基本的な構成を示すブロック図、図２（ｂ）は、図２（ａ）における計時部１１０（計時手段）の詳細構成を示すブロック図である。
【００２７】
図示のアナログ電子時計２００は、図１に示すように、文字板１３０に形成された窓１３１から、日板１０（日表示手段）に記載された日と曜車２０（曜表示手段）に記載された曜とを露出させることにより日および曜を表示し、文字板１３０に記載された数字や目盛りを時針１４０（指針）、分針１５０、秒針１６０によって指示することにより時刻を表示している。
【００２８】
ムーブメント１００には、図２（ａ）に示すように、時刻を計時する計時部１１０と、入力された制御信号に応じて駆動力を発生する時・曜系モータドライバ１４１ａおよび時・曜系モータ１４１ｂからなる時・曜系動力源１４１（動力源）と、秒・分系モータドライバ１５１ａおよび秒・分系モータ１５１ｂからなる秒・分系動力源１５１と、日板モータドライバ１１ａおよび日板モータ１１ｂからなる日板動力源１１と、時・曜系モータ１４１ｂが発生した駆動力を時針１４０に伝達する時輪列１４２（指針駆動機構）と、時輪列１４２から分岐して、時・曜系モータ１４１ｂが発生した駆動力を曜車２０に伝達する曜板駆動用輪列機構２３（曜表示駆動機構）と、秒・分系モータ１５１ｂが発生した駆動力を分針１５０および秒針１６０に伝達する秒・分系輪列１５２と、計時部１１０の計時内容を表示するための制御信号を出力する制御部１２０とを備えている。
【００２９】
ここで、計時部１１０は、図２（ｂ）に示すように、例えば水晶発振器など時刻の基準となる信号を発生する発振回路１１０ａと、発振回路１１０ａで発振された信号を分周する分周回路１１０ｂと、分周回路１１０ｂにより得られた分周信号に基づいて、内部において保持する、秒および分を計数する秒分カウンタ１１０ｃと、秒分カウンタ１１０ｃの計数値に基づいて時を計数する時カウンタ１１０ｄと、時カウンタ１１０ｄの計数値に基づいて日を計数する日カウンタ１１０ｅと、日カウンタ１１０ｅの計数値に基づいて月を計数する月カウンタ１１０ｆと、月カウンタ１１０ｆの計数値に基づいて年を計数する年カウンタ１１０ｇと、時カウンタ１１０ｄの計数値に基づいて曜を計数する曜カウンタ１１０ｈとを備えた構成である。
【００３０】
なお、曜カウンタ１１０ｈは、時カウンタ１１０ｄの計数値に基づいて曜を計数する他に、日カウンタ１１０ｅにより計数された日、月カウンタ１１０ｆにより計数された月、および年カウンタ１１０ｇにより計数された年により特定される年月日情報に基づいて、計算により曜を算出するものであってもよい。
【００３１】
発振回路１１０ａおよび分周回路１１０ｂは専用回路であるが、他のカウンタ１１０ｃ〜１１０ｈは、既存のマイクロコンピュータのＲＡＭなどで構成するものであってもよい。
【００３２】
制御部１２０は、主として、各モータドライバ１４１ａ，１５１ａ，１１ａを制御するモータ駆動制御と、計時部１１０を制御する計時部制御とを行う。
【００３３】
モータ駆動制御は、時・曜系モータドライバ１４１ａに対しては、曜板駆動用輪列機構２３による曜車２０の曜の表示を切り替える期間に行われる早送り制御（例えば、６４Ｈｚ運針）と、時針１４０によって時刻を表示する通常送り期間に行われる通常送り制御（例えば、１分運針）とを切り替えて行い、他のモータドライバ１１ａ，１５１ａに対しては、通常送り制御を行うものである。
【００３４】
ここで、早送り制御は、通常送り制御よりも高い周波数の制御信号を出力することによって行われ、制御部１２０が、通常送り期間に出力する制御信号は１分間に１ステップの信号（１分運針）であり、曜の表示を切り替える期間に出力する高周波数の制御信号は１秒間に６４ステップの信号（６４Ｈｚ運針）である。
【００３５】
また、通常送り期間とは、一般的な使用者が時計２００を使用する時間帯（時針１４０等によって表示された時刻を確認したり時計を使用する時間帯）、すなわち例えば、一日のうちで深夜から未明の時間帯を除いたその他の時間帯を意味する。
【００３６】
早送り制御と通常送り制御との切替えは、具体的には例えば、計時部１１０から入力された計時データのうち秒分カウンタ１１０ｃにより計数された秒および分のデータ、並びに時カウンタ１１０ｄにより計数された時のデータからなる時刻データに基づいて、所定の時間帯であるか否かを判定することにより行われるが、制御部１２０自らが内部に時刻のカウンタ（秒分カウンタ１１０ｃおよび時カウンタ１１０ｄに相当するもの）を有し、この内部の時刻のカウンタで得られた時刻に基づいて切り替えるものであってもよい。
【００３７】
なお、本実施形態１においては、午前２時００分００秒に達したとき、通常送り制御から早送り制御に切り替え、後述する実施形態２，３においては、午前０時００分００秒に達したとき、通常送り制御から早送り制御に切り替えている。
【００３８】
計時部制御は、計時部１１０に関する一般的な制御や、非存日排除や曜の自動算出などの制御である。なお、この計時部制御は、本実施形態１のように、制御部１２０が行うものに限定されるものではなく、計時部１１０自らが、その内部で行うものであってもよい。
【００３９】
なお、図２（ａ）において破線で囲んだ計時部１１０、制御部１２０、およびモータドライバ１４１ａ，１５１ａ，１１ａは、マイクロコンピュータおよびこのマイクロコンピュータを動作させるプログラムによって実現するものであってもよいし、通常のハードウェアとして実現してもよい。
【００４０】
曜車２０は、図３に示すように、円板状の曜板（曜車体）２２と曜星車２１（曜表示駆動部）とからなり、曜板２２には２種類の言語（英語と日本語）の曜表示群ＥＣ，ＪＣが表され、上述した通常送り期間は、これら２種類の曜表示群ＥＣ，ＪＣのうち特定の一種類の曜表示群ＥＣまたはＪＣに属する曜（｛ＳＵＮ、ＭＯＮ、ＴＵＥ、…、ＳＡＴ｝または｛日、月、火、…、土｝）が時計２００の窓１３１から露出するように、制御部１２０が制御している。
【００４１】
ここで、曜表示群ＪＣとは、日という曜表示、月という曜表示、火という曜表示、水という曜表示、木という曜表示、金という曜表示、および土という曜表示からなる七曜の集まりを意味し、曜表示群にそれぞれ属する曜の表示は、これら日という曜表示、月という曜表示、火という曜表示、水という曜表示、木という曜表示、金という曜表示、土という曜表示のそれぞれを意味する。曜表示群ＥＣについても、同様である。
【００４２】
また、図３に示した曜板２２は、その回転中心Ｃを中心とする周方向について、２種類の曜表示群ＥＣ，ＪＣにそれぞれ属する曜の表示ごとに２種類の言語が隣り合うように表されている。
【００４３】
つまり、図示の反時計回りに、ＳＵＮ、日、ＭＯＮ、月、ＴＵＥ、火、ＷＥＤ、水、ＴＨＵ、木、ＦＲＩ、金、ＳＡＴ、土、という並びで曜表示が記載されて、曜表示の種類が交互に配置されている。
【００４４】
そして、このアナログ電子時計２００は、時針１４０が正常に送られている通常送り期間には、常に英語の曜表示のみ、または日本語の曜表示のみがなされるため、通常送り期間における制御信号よりも高周波数の制御信号が制御部１２０から出力されると、英語表示のときは、例えば、「ＳＵＮ」→「日」→「ＭＯＮ」というように曜表示の送り（切替え）が行われ、日本語表示のときは、例えば、「日」→「ＭＯＮ」→「月」というように曜表示の送りが行われる。
【００４５】
なお、上述した曜板２２は、英語表記と日本語表記とからなる２種類の曜表示群のみが表されているが、３種類以上の言語の曜表示群であってもよい。また、言語に限らず、フォント（字体）が互いに異なる種類のものであってもよい。例えば、ゴシック体の曜表示群と行書体の曜表示群とからなるもの等であってもよい。
【００４６】
本実施形態のアナログ電子時計２００の曜板２２は、英語の曜表示と日本語の曜表示とが交互に配置されたものであるが、例えば図４に示すように、その回転中心Ｃを中心とする所定の角度範囲ごとに、各種類の曜表示群ＥＣ，ＪＣの曜表示が集中して表されているものであってもよい。
【００４７】
つまり、英語の曜表示群ＥＣに属する曜表示｛ＳＵＮ、ＭＯＮ、ＴＵＥ、ＷＥＤ、ＴＨＵ、ＦＲＩ、ＳＡＴ｝の全てが、周方向の全周範囲（３６０度の角度範囲）のうち１８０度の角度範囲に配置され、日本語の曜表示群ＪＣに属する曜表示｛日、月、火、水、木、金、土｝の全てが、周方向の全周範囲（３６０度の角度範囲）のうち他の１８０度の角度範囲に配置されているものであってもよい。
【００４８】
以下の説明では、図３に示した曜板２２を適用したものとする。
【００４９】
曜星車２１は、図３に示すように、曜板２２の曜表示の数と同じ１４枚の歯２１ａを有する歯車であり、曜板２２の回転中心Ｃと同軸に、かつ回転中心Ｃと各曜表示とを結ぶ線上の歯車の歯底が対応するように固定されている。
【００５０】
なお、歯車の歯２１ａの数は、曜板２２の曜表示の数と同じであるものに限らず、曜板２２の曜表示の数の自然数倍であればよい。
【００５１】
図５は、図２に示した基本的な構成の、ムーブメント１００における物理的な配置の具体例であり、特に、時・曜系モータ１４１ｂから時輪列１４２、曜板駆動用輪列機構２３、曜車２０に連なる構成の詳細を示す。
【００５２】
時輪列１４２は、時・曜系モータ１４１ｂに直接連なる歯車１４２ａから、時針１４０が固定される筒車１４２ｅまでの、５つの歯車１４２ａ，１４２ｂ，１４２ｃ，１４２ｄ，１４２ｅが順次噛合した歯車列で構成されている。
【００５３】
図２（ａ）に示した曜板駆動用輪列機構２３は、図５において、時輪列１４２のうち歯車１４２ｄに連なる歯車２４、曜回し車２５および曜車２０の曜星車２１が順次連なって構成され、これにより、図２（ａ）に示した曜板駆動用輪列機構２３は、時輪列１４２から分岐して、時・曜系モータ１４１ｂが発生した駆動力を曜車２０に伝達している。
【００５４】
ここで、秒・分と時との全てを単一のモータにより駆動し、この時の駆動に伴って曜車を駆動させる構成を採用することも可能であるが、曜表示の切替えの速度アップ、および時差修正等の速度アップや簡便さを図るために、図２に示すシステムを構成した。
【００５５】
なお、筒車１４２ｅと曜車２０とは同一の回転中心Ｃ回りに回転するが、これら筒車１４２ｅと曜車２０とは互いに独立して回転する。
【００５６】
また、制御部１２０から通常送り期間に対応した周波数の制御信号によれば、筒車１４２ｅは１２時間で１回転し、曜回し車２５は２４時間で１回転するように設定されている。
【００５７】
曜回し車２５は、図６（ａ）に示すように、時輪列１４２の連続的駆動力を受け、この連続的駆動力を間欠的駆動力として、曜星車２１に伝達する爪２５ａ（間欠駆動手段）が形成されている。
【００５８】
すなわち、曜回し車２５は連続的駆動力を受けて連続的に回転するが、曜回し車２５は曜星車２１を連続的に回転させるのではなく、図７（ａ）に示すように、曜回し車２５の爪２５ａが曜星車２１の歯２１ａに当たったときだけ曜星車２１を回転させる。これによって、曜回し車２５の爪２５ａは、曜星車２１の歯２１ａを間欠的に送るゼネバ機構を構成している。
【００５９】
ここで、曜板２２の曜表示を切り替える（送る）基本的な作用について、図６から図９を参照して説明する。
【００６０】
図６（ａ）に示すように、曜星車２１は、曜板駆動用輪列機構２３に伝達された駆動力により矢印Ｒ方向に正転するものとする。
【００６１】
また、図６（ａ）に示す状態は、時針１４０が午前０時を指示している頃の状態を示し、このとき曜板２２は、図６（ｂ）に示すように、例えば英語の曜表示群ＥＣの曜表示「ＳＵＮ」を窓１３１に表示している。なお、微弱な弾性力（付勢力）の曜ジャンパー２９が曜星車２１の歯２１ａに当接している。
【００６２】
ここでは、制御部１２０からは通常送り期間に対応した周波数の制御信号が出力されており、時針１４０の運針速度は正常状態であるものとする。
【００６３】
次に、時間の経過により、図７（ａ）に示す状態まで曜回し車２５が回転すると、爪２５ａが曜星車２１の歯２１ａ（１）（歯２１ａごとの識別をするため、必要に応じて、歯２１ａ（１）、歯２１ａ（２）、…、という。）を押し始め、曜星車２１は、曜ジャンパー２９による微弱な付勢力に抗して、矢印Ｒ′方向に回転し始める。これによって、曜星車２１が固定された曜板２２も回転し始め、図７（ｂ）に示すように、曜表示「ＳＵＮ」は窓１３１の外側に隠れ始める。
【００６４】
さらに時間が経過して、図８（ａ）に示すように、爪２５ａが曜星車２１の歯２１ａ（１）を送り終わると、図８（ｂ）に示すように、曜表示「ＳＵＮ」に隣接した日本語の曜表示群ＪＣの曜表示「日」が窓１３１に表示される。
【００６５】
なお、爪２５ａの回転方向前端が、爪２５ａが押していた歯２１ａ（１）から離れているのは、曜ジャンパー２９を押し上げていた歯２１ａ（８）（図７（ａ））に作用していた微弱な付勢力の作用方向が、曜星車２１の回転の進行によって、曜星車２１を矢印Ｒ′方向に回転させる方向に変化し、これにより曜星車２１は、爪２５ａの押圧力により回転させられるタイミングよりも先行して、曜ジャンパー２９による付勢力によって矢印Ｒ′方向に回転させられるためである。
【００６６】
図６に示した状態から図８に示した状態に至るまで、曜回し車２５は約３０度の角度だけ回転するが、この期間は通常送り期間であるため、時針１４０が時刻を正常に指示するのに必要な周波数の制御信号が制御部１２０から出力されており、したがって、曜回し車２５がこの制御信号で約３０度の角度だけ回転するのに約２時間が経過し、このとき時針１４０は、概略午前２時を指し示している。
【００６７】
図８に示した状態に達すると、制御部１２０からは通常送り期間よりも高周波数の制御信号が２２．５[秒]だけ出力される。
【００６８】
すなわち、高周波数の制御信号は、１秒間に６４ステップの信号（６４Ｈｚ運針）であるから、通常送り期間に出力される１分間に１ステップの信号（１分運針）に対して、単純には、３８４０（＝６４×６０）倍の速度となる。
【００６９】
なお、１秒間に６４ステップの信号は、計時部１１０によって作られた基準となる信号を利用して、制御部１２０が生成したものである。
【００７０】
図８に示した状態で、制御部１２０から高周波数の制御信号が２２．５秒間だけ出力されると、１４４０ステップの運針信号となり、この１４４０ステップの運針信号は、通常送り期間の制御信号（１分運針の信号）に換算すると２４時間に相当する（１４４０[ステップ]＝６０[ステップ／時間]×２４[時間]）。
【００７１】
したがって、この高周波数の制御信号が出力された２２．５秒間に、時針１４０は２回転し、曜回し車２５は図９（ａ）に示すように１回転する。つまり、時針１４０は、２回転して、回転前の元の時刻を指し示すため、正常な時刻指示となる。
【００７２】
一方、曜回し車２５は、図８に示した状態から１回転するが、爪２５ａが図８（ａ）に示した状態から矢印Ｒ方向への正転向き前方に位置する歯２１ａ（１）に当たって、この歯２１ａ（１）を押圧すると、曜星車２１は矢印Ｒ′方向に僅かに回転するが、図７（ａ）の状態から爪２５ａが歯２１ａ（１）に当たる場合と異なり、上述した曜星車２１の僅かな回転によって歯２１ａ（１）が爪２５ａから逃げ、曜星車２１は曜ジャンパー２９の付勢力によって、僅かな回転の前の位置すなわち図８（ａ）に示す位置に戻される。
【００７３】
したがって、爪２５ａが歯２１ａ（１）から離脱した時点では、曜星車２１の歯２１ａは矢印Ｒ′方向に送られず、窓１３１には、図８（ｂ）に示す曜表示「日」が表示されたままとなる。
【００７４】
曜回し車２５は１回転するため、爪２５ａは、図９（ａ）に示すように、図８（ａ）と同じ位置まで回転するが、図８（ａ）の状態から爪２５ａが歯２１ａ（１）から離脱した後、次に正転向き（矢印Ｒ方向の回転向き）前方に突き当たった歯２１ａ（２）に対しては、図７（ａ）の状態から爪２５ａが歯２１ａ（１）に突き当たった場合と同様に、歯２１ａ（２）を押圧し続け、曜星車２１を一歯分矢印Ｒ′方向に回転させる。
【００７５】
この結果、窓１３１には、図９（ｂ）に示す英語の曜表示群ＥＣの曜表示「ＭＯＮ」が表示される。
【００７６】
以上により、曜板２２の曜表示を切り替える（送る）作用が終了し、制御部１２０からは通常送り期間に対応した元の周波数の制御信号が出力される。
【００７７】
なお、図８（ａ）の状態から爪２５ａが歯２１ａ（１）から離脱した後や、図９（ａ）の状態から爪２５ａが歯２１ａ（２）から離脱した後は、図１０に示すように、曜回し車２５の、爪２５ａが形成された凸部の外周面２５ｃ（曜表示回転阻止部）が、曜星車２１の隣接する２つの歯２１ａ，２１ａに当接する。
【００７８】
この凸部の外周面２５ｃのうち、当接する２つの歯２１ａ，２１ａの間に位置する部分が、曜星車２１が回転したときの歯２１ａの歯先の回転軌跡よりも、回転軌跡内側に入り込むように形成されているため、この状態では、曜星車２１は回転不可能となり、曜車２０の回転が阻止される。
【００７９】
曜星車２１は、曜ジャンパー２９による付勢力によって、ある程度拘束されているため、自由な回転を抑制されているが、この付勢力は、爪２５ａが歯２１ａを押圧して曜星車２１を送る際の障害にならない程度の微弱なものであるため、曜ジャンパー２９の付勢力を超える衝撃力が加わった場合には、慣性等によって曜星車２１が予期しない回転をし、窓１３１に表示される曜表示が、本来表示すべき曜表示からずれる虞がある。
【００８０】
しかし、凸部の外周面２５ｃが、隣接する２つの歯２１ａに当接している期間中は、曜星車２１の回転を強固に阻止するため、そのような衝撃力が加わっても、曜表示がずれるのを阻止することができ、曜星車の予期しない回転による見栄えの毀損を防止することができる。
【００８１】
以上のように構成された実施形態１のアナログ電子時計２００によれば、曜板２２は、時・曜系モータ１４１ｂの駆動力を時針１４０に伝達する時輪列１４２から分岐された曜板駆動用輪列機構２３によって、駆動力が伝達されるため、曜板２２の曜の表示の切替えに要する駆動力は、時針１４０を駆動する時・曜系モータ１４１ｂによってまかなわれ、したがって、曜板２２を駆動するための専用の新たな動力源を追加する必要がない。
【００８２】
計時部１１０の計時内容を表示するための制御信号を出力する制御部１２０が、曜板２２の曜の表示を切り替える期間に、時針１４０によって時刻を表示する通常送り期間よりも高い周波数の制御信号を出力することによって、曜板２２の切替期間は曜板駆動用輪列機構２３を早送りすることができ、曜表示の切替えに要する時間を短縮することができる。
【００８３】
しかも、制御部１２０から出力される制御信号の周波数を変化させるだけの簡単な構成で、曜板２２の曜表示を早送りで切り替えることができる。
【００８４】
なお、曜板２２として、図４に示した曜表示が集中配置されたタイプのものを適用した形態のアナログ電子時計２００では、制御部１２０が、１週間に一度（日曜日の午前２時頃からの約１５８秒間）だけ、通常送り期間よりも高い周波数の制御信号を出力するものとすればよい。
【００８５】
すなわち、日曜日の午前０時から約２時間の間に、英語の曜表示群ＥＣの曜表示「ＳＡＴ」から、日本語の曜表示群ＪＣの曜表示「日」に切り替えられる。
【００８６】
この時点で、曜回し車２５は、図８（ａ）に示した状態にあり、制御部１２０が高い周波数の制御信号を１５７．５（＝２２．５×７）秒間出力することで、窓１３１には、英語の曜表示群ＥＣの曜表示「ＳＵＮ」が表示され、時針１４０には正常な時刻を指示させることができる。
【００８７】
なお、１５７．５秒間経過後は、制御部１２０は通常送り期間に対応した周波数の制御信号を、約１週間連続して出力し続ける。
【００８８】
このように、曜表示群集中配置タイプの曜板２２を適用したアナログ電子時計２００は、曜の表示を切り替える期間が、１週間に１回だけであるため、曜の表示の切替えの際に高い周波数で駆動されることによる時針１４０の不自然な動きを、１週間に１回だけで済ませることができる。
【００８９】
一方、図３に示した曜表示交互タイプの曜板２２を適用したアナログ電子時計２００は、通常送り期間と曜の表示を切り替える期間とを、毎日同じ割合に設定することができ、制御部１２０の制御処理を簡単化することができる。
（実施形態２）
次に、本発明に係るアナログ電子時計の実施形態２について説明する。この実施形態２に係るアナログ電子時計２００は、基本的な構成において実施形態１と同一である。すなわち、外観は図１に示す通りであり、基本的構成のブロックは図２に示す通りである。
【００９０】
そして、実施形態２が実質的に実施形態１と相違する点は、曜回し車２５と、制御部１２０による制御信号の切替えタイミングなどである。
【００９１】
すなわち、実施形態２のアナログ電子時計２００の曜回し車２５は、図１１に示すように、曜回し歯車２６（連続駆動体）と、爪２５ａに相当する爪２７ａが形成された曜回し爪体２７（従動体）とからなる２体構造であり、曜回し歯車２６は、図５に示した歯車２４によって正転向き（矢印Ｒ方向）および反転向き（矢印Ｒ′方向）に連続的に駆動され、一方、曜回し爪体２７は、曜回し歯車２６に対する位置関係（後述する空転溝２６ｄ（円弧状の通路）とピン２７ｆ（突起）との位相関係）に応じた時間だけ曜回し歯車２６の連続的な駆動動作が伝達されないように、すなわち曜回し爪体２７に対して曜回し歯車２６が空転可能とされている。
【００９２】
曜回し歯車２６は、円板状部２６ａの外周に、歯車２４と噛合する歯車部２６ｂが形成され、円板状部２６ａの図示表面側の回転中心Ｃ１を含む所定の半径範囲は、短円柱状の空間を形成するように陥凹した凹部が形成されている。
【００９３】
一方、曜回し爪体２７には、凹部に突入する凸部が形成され、曜回し歯車２６の凹部に曜回し爪体２７の凸部が突入した状態で、両者２６，２７は同軸に、かつ、この軸Ｃ１回りに相対的に回転可能となっている。
【００９４】
また、曜回し歯車２６の凹部には、回転中心Ｃ１回りの周方向に沿って、例えば略３／４周分の角度範囲θに亘って空転溝２６ｄが形成されており、曜回し爪体２７の凸部の外周面２７ｅよりも半径方向内側部分には、空転溝２６ｄに挿入されるピン２７ｆが形成されている。
【００９５】
これにより、曜回し歯車２６と曜回し爪体２７との間での相対的な回転角度範囲が規制される。すなわち、曜回し爪体２７は、ピン２７ｆが空転溝２６ｄの端部に当たるまでは、曜回し歯車２６が回転しても、曜回し歯車２６とともに連れ回ることはないが、ピン２７ｆが空転溝２６ｄの、曜回し歯車２６の回転方向の後側端部に当たると、その当たった状態を維持して、曜回し歯車２６とともに連れ回る。
【００９６】
また、曜回し爪体２７には、実施形態１における曜回し車２５の爪２５ａおよび凸部外周面２５ｃにそれぞれ対応する、爪２７ａ（間欠駆動手段）および凸部外周面２７ｃ（曜表示回転阻止部）が、同様に形成されている。なお、符号２７ｄは、曜星車２１の回転による歯２１ａの歯先との干渉を避けるための切欠き部を示す。
【００９７】
この実施形態２では、図３に示した曜板２２を適用したものとすると、曜表示の送り期間に、制御部１２０が通常送り期間の制御信号（１分運針）よりも高周波数の制御信号（６４Ｈｚ運針）を出力して時輪列を高速で正転向きに回転させ、これにより曜回し車２５の曜回し歯車２６および時針１４０を早送りし（曜回し歯車２６の正転向き（矢印Ｒ方向））、曜回し爪体２７を曜回し歯車２６とともに連れ回りさせて、曜回し爪体２７の爪２７ａにより、曜星車２１の歯２１ａを２歯分送って曜表示の送りを完了させる。
【００９８】
このとき、時針１４０が指し示す時刻は、現実の時刻よりずれているが、その後、時針１４０が指し示す時刻が現実の時刻（２４時間の整数倍（整数として０は除く）に一致するために、時針１４０および曜回し歯車２６を反転向き（矢印Ｒ′方向）に高速で回転させるように、制御部１２０が高周波数の制御信号（６４Ｈｚ運針）を出力して時輪列を高速で反転向きに回転させる。
【００９９】
曜回し歯車２６が反転向きに回転し始めた直後の３／４周分は、ピン２７ｆが空転溝２６ｄの端部に当たらないため、曜回し爪体２７は反転向きに回転しない。
【０１００】
したがって、曜回し爪体２７の爪２７ａが曜星車２１の歯２１ａに、正転向きとは反対側から当たるまで、曜表示は２歯分送られた状態を維持し、一方、時針１４０は、曜回し爪体２７の爪２７ａが曜星車２１の歯２１ａに当たる前に、現実の時刻（実際には、現実の時刻よりも２４時間分先行する時刻であるが、２４時間分の進みは、現実の時刻において時針１４０が指示する時刻と同じであり、現実の時刻として取り扱うことができる。）に一致する。
【０１０１】
そして、時針１４０が現実の時刻に一致した時点で、曜表示の送り期間は終了し、制御部１２０は通常送り期間に対応した正転向きへの制御信号（１分運針）を出力し、通常送り期間に移行する。
【０１０２】
以上の作用の詳細を、図１２および図１３を用いて、詳細に説明する。
【０１０３】
まず、図１２（ａ）に示す状態は、現実の時刻が、日曜日の午後９時であるとし、このとき文字板１３０の窓１３１には図６（ｂ）に示すように、曜板２２における英語の曜表示群ＥＣの曜表示「ＳＵＮ」が表示されている。
【０１０４】
また、この時刻は、通常送り期間に対応した時間帯であるため、制御部１２０からは１分運針用の制御信号が出力されており、この制御信号によって駆動された時・曜系モータ１４１ｂの駆動力が時輪列１４２に伝達されて、この時輪列１４２の筒車１４２ｅにより時針１４０が通常送りされている。このとき、時針１４０は、現実の時刻に一致した午後９時を指し示している状態である。
【０１０５】
時輪列１４２に伝達されている駆動力は、時輪列１４２から分岐した曜板駆動用輪列機構２３の歯車２４に伝達され、この歯車２４は、曜回し歯車２６の歯車部２６ｂ（図１１参照）に噛合し、曜回し歯車２６は正転向き（矢印Ｒ方向）に連続的に回転している。
【０１０６】
なお、時輪列１４２と曜板駆動用輪列機構２３との歯数の比によって、筒車１４２ｅが２回転する間に曜回し歯車２６は１回転するように設定されている。
【０１０７】
曜回し歯車２６の正転向きへの回転によって、その空転溝２６ｄの回転方向後側の端部が、曜回し爪体２７のピン２７ｆを押し、これによって、曜回し爪体２７は、曜回し歯車２６と一体的に、正転向きに回転される。このとき曜回し爪体２７の爪２７ａは、曜星車２１から最も遠い角度位置に位置している。
【０１０８】
なお、図１２（ａ）に示した午後９時における状態は、通常送り期間における典型的な状態の一例として示したものであり、これよりも１時間前や１時間後であっても、大きな差はなく、筒車１４２ｅおよび曜回し車２５（曜回し歯車２６と曜回し爪体２７との連結体）の位相がそれぞれ、１分運針の制御信号に応じた１時間前や１時間後の位相に代わるだけである。
【０１０９】
図１２（ｂ）は、図１２（ａ）から現実の時刻が約３時間経過した翌日（月曜日）午前０時直前の状態を示すものであり、１分運針の制御信号によって、筒車１４２ｅは、時針１４０が午前０時を指し示す角度（９０度）まで回転し、曜回し車２５も同様に、筒車１４２ｅの１／２の角度（４５度）だけ回転する。この時点では、曜回し車２５の爪２７ａは曜星車２１の歯２１ａを送っていないため、曜表示は図６（ｂ）に示す「ＳＵＮ」のままである。
【０１１０】
現実の時刻が午前０時に達すると、曜表示切替え期間に移行し、制御部１２０は、高周波数の制御信号（６４Ｈｚ運針の信号）を約４０秒間（厳密には、３９．３７５（＝６０×２４×７／４×１／６４＝ｔ１）秒間）出力する。
【０１１１】
この約４０秒間という出力時間は、曜回し車２５を正転向きに早送りで７／４回転させるための時間であり、曜回し車２５を構成する曜回し歯車２６および曜回し爪体２７は、図１２（ｂ）の状態から、一体的に正転向き（矢印Ｒ方向）に７／４回転し、午前０時からこの約４０秒経過後の時刻（午前０時ｔ１秒）には、図１２（ｃ）に示す角度位置に位置する。
【０１１２】
そしてこの約４０秒間の早送りの間に、曜回し爪体２７の爪２７ａが曜星車２１の歯２１ａを２歯分送り、これによって、曜表示は図９（ｂ）に示す「ＭＯＮ」に切り替えられ、現実の曜に一致する。
【０１１３】
一方、制御部１２０から出力された高周波数の制御信号（６４Ｈｚ運針の信号）は、筒車１４２ｅを、曜回し車２５の２倍の回転角度だけ回転させるため、筒車１４２ｅは１４／４回転すなわち３回転半進み、これにより、時針１４０は、現実の時刻換算で４２時間進められた時刻を指し示していることになる。
【０１１４】
ここで、４２時間分のうち２４時間分は繰返しの周期であるから、時針１４０は、実質的には現実の時刻（午前０時ｔ１秒）に対して１８（＝４２−２４）時間分だけ進んだ時刻（午後６時）を指し示している。
【０１１５】
そこで、時針１４０を１８時間分戻す必要があり、制御部１２０は、時針１４０を反転向きに、かつ高速に巻き戻すための高周波数の制御信号（６４Ｈｚ運針（反対向き））を約１７秒間（厳密には、１６．８７５（＝６０×２４×３／４×１／６４＝ｔ２）秒間）出力する。
【０１１６】
これにより、時・曜系モータ１４１ｂは通常送り期間とは反対向きに高速で回転し、時輪列１４２も反対向きに回転し、時針１４０は通常送り期間とは反対向きに約１７秒間巻き戻される。
【０１１７】
ここで、約１７秒間という出力時間は、筒車１４２ｅを反転向きに早送りで１８時間分（曜回し車の回転数換算で３／４回転）巻き戻すのに相当する時間であり、これにより、現実の時刻である午前０時（ｔ１＋ｔ２）秒には、時針１４０は、現実の時刻である午前０時を指し示し、時針１４０の指示は現実の時刻に一致する。
【０１１８】
なお、厳密には、Δｔ＝（ｔ１＋ｔ２）秒分の誤差が生じるが、本実施形態２におけるΔｔは、５６．２５（＝３９．３７５＋１６．８７５）秒であり、これは通常送り期間の１分運針換算で約１ステップ分に相当し、この誤差の約１ステップ分を相殺するように、上述した反転向きで高周波数の制御信号の出力時間を調整（約０．０１５（＝１／６４）秒間短縮）すればよい。
【０１１９】
ところで、実施形態１のアナログ電子時計２００では、筒車１４２ｅが反転向きに回転すれば、曜回し車２５も連動して反転向きに回転する。したがって、時針１４０を１８時間分巻き戻す動作を行わせると、曜回し車２５も１８時間分巻き戻されることになる。もちろん、この実施形態１は、筒車１４２ｅと曜回し車２５とは完全に連動しているため、両者間の位相関係は常に維持されている。
【０１２０】
したがって、時針１４０を１８時間分巻き戻す動作を行わせると、曜回し車２５も１８時間分巻き戻され、この巻き戻されている期間中に、曜回し車２５の爪２５ａが曜星車２１の歯２１ａに、反転向き側から当たって、曜星車２１を曜表示の戻し方向に回転させ、早送りして送った曜表示が戻されることになる。
【０１２１】
しかし、本実施形態２のアナログ電子時計２００は、曜回し車２５が、時輪列１４２から駆動力を受ける側の曜回し歯車２６と、曜星車２１に駆動力を伝える側の曜回し爪体２７との間で、３／４回転分（通常送り期間に出力される制御信号による駆動時間に換算して１８時間分）の空転が可能であるため、時針１４０を１８時間分戻して現実の時刻に一致させるとともに、曜回し車２５の曜回し爪体２７を１８時間分停止させておくことで、現実の時刻に対する曜回し車２５の１８時間分の進みを解消させることができ、両者１４０，２５間の相対的な位置関係も、空転が終了する１８時間経過時点で、元の位置関係に戻すことができる。
【０１２２】
図１３（ａ）は、制御部１２０が、時針１４０を反転向きに、かつ高速に巻き戻すための高周波数の制御信号（６４Ｈｚ運針（反対向き））を約１７秒間出力した後の現実の時刻が月曜部午前０時（ｔ１＋ｔ２）秒における様子を示す図である。
【０１２３】
図１２（ｃ）から図１３（ａ）に至るまで、時針１４０は１８時間分巻き戻され、曜回し車２５の曜回し歯車２６も１８時間分反転向き（矢印Ｒ′方向）に巻き戻されるが、この巻戻しの直前には、曜回し爪体２７のピン２７ｆは、空転溝２６ｄのうち、反転向き（矢印Ｒ′方向）での回転方向前端に位置しているため、ピン２７ｆが、空転溝２６ｄのうち、反転向き（矢印Ｒ′方向）での回転方向後端に位置するまでの３／４回転分すなわち通常送り期間に出力される制御信号による駆動時間に換算して１８時間分の空転が可能となる。
【０１２４】
したがって、この曜回し歯車２６の３／４回転分の巻戻しは、曜回し爪体２７を全く回転させることがなく、したがって、曜板２２の曜表示が変化することはない。
【０１２５】
よって、時針１４０による時刻の指示および曜板２２による曜表示ともに、現実の時刻および現実の曜表示に一致させることができる。
【０１２６】
以上の高速巻戻し（早戻し）動作が終了すると、制御部１２０は通常送り期間に移行して１分運針に対応する制御信号を出力し、約６時間経過後の現実の時刻が午前６時には、時針１４０は通常送り期間の制御信号によって正常に駆動されて午前６時を指示し、曜回し車２５の曜回し歯車２６と曜回し爪体２７との位置関係は、図１３（ｂ）に示すように、曜回し爪体２７のピン２７ｆが、曜回し歯車２６の空転溝２６ｄの正転向き（矢印Ｒ方向）の後側端部に突き当たるまで、曜回し爪体２７は回転せずに曜回し歯車２６のみが回転し、図１３（ａ）から約１８時間経過した月曜日の午後６時頃（図１３（ｃ）参照）に、曜回し歯車２６の空転溝２６ｄの正転向き（矢印Ｒ方向）の後側端部に曜回し爪体２７のピン２７ｆが突き当たり、これ以後の火曜日午前０時まで、曜回し歯車２６と曜回し爪体２７とは一体的な曜回し車２５として正転向きに回転する。
【０１２７】
以上のように、本実施形態２に係るアナログ電子時計２００によれば、曜板２２は、時・曜系モータ１４１ｂの駆動力を時針１４０に伝達する時輪列１４２から分岐された曜板駆動用輪列機構２３によって駆動力が伝達されるため、曜板２２の曜表示の切替え（送り）に要する駆動力は、時針１４０を駆動する時・曜系モータ１４１ｂによってまかなわれ、したがって、曜板２２を駆動するための専用の新たな動力源を追加する必要がない。よってサイズの大型化を回避することができるとともに、製造コストの上昇も抑えることができる。
【０１２８】
また、計時部１１０の計時内容を表示するための制御信号を出力する制御部１２０が、曜板２２の曜表示を切り替える期間に、時針１４０によって時刻を表示する通常送り期間よりも高い周波数の制御信号を出力することによって、曜表示の切替期間は曜板駆動用輪列機構２３を早送りすることができ、曜表示の切替えに要する時間を短縮することができる。
【０１２９】
しかも、制御部１２０から出力される制御信号の周波数を変化させるだけの簡単な構成で、曜板２２の曜表示を早送りで切り替えることができる。
【０１３０】
また、本実施形態２のアナログ電子時計２００は、単一の曜板２２に、２種類の言語表記の曜表示群が表され、通常送り期間は、これら２種類の曜表示群のうち一方（本実施形態２では英語）の曜表示群ＥＣに属する曜が表示されるように、制御部１２０は、制御信号の出力を制御しているため、単一の曜板２２によって、２種類の言語表記での曜表示を行うことができる。
【０１３１】
ここで、図３に示した曜板２２は、その回転中心Ｃを中心とする周方向について、２種類の曜表示群ＥＣ，ＪＣにそれぞれ属する曜の表示ごとに２種類の言語が隣り合うように表されているため、上述した本実施形態２の制御内容、すなわち通常送り期間と曜の表示を切り替える期間（高速で早送りする期間および高速で巻き戻す（早戻し）期間）の割合や動作時刻等を、３６５日の毎日について同一に設定することができ、制御部１２０の制御処理を簡単化することができる。
【０１３２】
なお、図３に示した曜板２２に代えて、図４に示した曜板２２を適用してもよく、この図４に示した曜表示群集中配置タイプの曜板２２を適用した形態のアナログ電子時計２００では、制御部１２０が、１週間に一度（日曜日の午前０時からの約１７４（厳密には１７４．３７５＝６０×２４×３１／４×１／６４）秒間（曜回し車２５の３１／４回転分に相当））だけ、６４Ｈｚ運針に対応した制御信号を出力し（時針１４０は、１８時間分進み状態）、その後、時針１４０を反転向きに、かつ高速に１８時間分巻き戻すための高周波数の制御信号（６４Ｈｚ運針（反対向き））を約１７秒間（厳密には、１６．８７５（＝６０×２４×３／４×１／６４＝ｔ２）秒間）出力することで、時針１４０の時刻指示および曜板２２の曜表示を適正に送ることができる。
【０１３３】
このように、曜表示群集中配置タイプの曜板２２を適用したアナログ電子時計２００は、曜の表示を切り替える期間が、１週間に１回だけであるため、曜の表示の切替えの際に高い周波数で駆動されることによる時針１４０の不自然な動きを、１週間に１回だけで済ませることができる。
【０１３４】
また、本実施形態２に係るアナログ電子時計２００は、曜板駆動用輪列機構２３が、曜板２２に固定された曜星車２１と、時輪列１４２の連続的駆動力を受けて間欠的駆動力に変換し、この間欠的駆動力を曜星車２１に伝達する爪２７ａを有する曜回し車２５（間欠駆動手段）とを備えているため、曜表示の切替えは、爪２７ａが間欠的駆動力を曜星車２１に伝達する期間だけであり、曜表示の切替えの際に高い周波数（６４Ｈｚ運針）で駆動されることによる時針１４０の不自然な動きを、時針１４０が正常に駆動される通常送り期間（１分運針）に比べて、極めて短時間で済ませることができる。具体的には、本実施形態２では、英・日交互タイプの曜板２２（図３）で、毎日約１分間弱、英・日集中タイプの曜板２２（図４）で、週に一度だけ３分間強（厳密には、１９１．２５秒間）で、完了することができる。
【０１３５】
さらに、曜板駆動用輪列機構２３は、曜板２２に表された曜表示の数の自然数倍（実施形態１，２ともに、１に設定されている。）の数の歯２１ａを有する曜星車２１と、曜星車２１の歯２１ａを間欠的に送る爪２７ａを有する曜回し車２５とを備えているため、曜星車２１と曜回し車２５とを、既知のゼネバ機構として構成することができる。
【０１３６】
また、本実施形態２のアナログ電子時計２００は、曜回し車２５は、連続的に駆動される曜回し歯車２６と、曜回し歯車２６に対する位置関係に応じた時間だけ曜回し歯車２６の連続的な駆動動作が伝達されない曜回し爪体２７とが連結されている構成であるため、時針１４０に連動する曜回し歯車２６と曜板２２に連動する曜回し爪体２７との間で空転が可能となり、この空転を利用して、時針１４０を現実の時刻指示としながら、曜板２２の曜表示を必要数だけ送ることができる。
【０１３７】
具体的には、曜回し車２５が、曜回し爪体２７とこの曜回し爪体２７に対して３／４周分（通常送り期間に出力される制御信号による回転時間換算で１８時間分）だけ空転可能の曜回し歯車２６との連結体で形成されているため、時針１４０を１８時間分戻して現実の時刻に一致させるとともに、曜回し車２５の曜回し爪体２７を１８時間分停止させておくことができ、これによって、時針１４０を現実の時刻指示としながら、曜板２２の曜表示を２つ以上（図３の曜板２２であれば２つ、図４の曜板２２であれば８つ。）送ることができる。
また、本実施形態２のアナログ電子時計２００は、曜回し歯車２６には、その回転中心Ｃ１を中心とする周方向に沿って、円弧状の空転溝２６ｄが形成され、曜回し爪体２７は、曜回し歯車２６の回転中心Ｃ１と同心に回転可能であるとともに、曜回し歯車２６の空転溝２６ｄに挿入されるピン２７ｆが形成されているという簡単な構成で、曜回し歯車２６と曜回し爪体２７との間で空転可能を実現することができる。
【０１３８】
さらに、本実施形態２に係るアナログ電子時計２００は、曜板駆動用輪列機構２３が分岐するのが、時針１４０に駆動力を伝達する時輪列１４２であるため、秒針用や分針用の秒・分系輪列１５２から分岐させるものよりも、曜板２２の早送りを短時間で完了させることができる。
【０１３９】
また、本実施形態２に係るアナログ電子時計２００は、図１２，１３に示すように、曜回し車２５の曜回し爪体２７の外周面２７ｃ（曜表示回転阻止部）は、通常送り期間において曜車２０の回転を阻止する機能を有する。
【０１４０】
すなわち、曜回し車２５の、曜回し爪体２７の外周面２７ｃが、曜星車２１の隣接する２つの歯２１ａに当接する。
【０１４１】
この凸部外周面２７ｃのうち、当接する２つの歯２１ａの間に位置する部分が、曜星車２１が回転したときの歯２１ａの歯先の回転軌跡よりも、回転軌跡内側に入り込むように形成されているため、この状態では、曜星車２１は回転不可能となり、曜車２０の回転が阻止される。
【０１４２】
曜星車２１は、曜ジャンパー２９による付勢力で、ある程度拘束されており、自由な回転が抑制されているが、この付勢力は、爪２７ａが歯２１ａを押圧して曜星車２１を送る際の障害にならない程度の微弱なものであるため、曜ジャンパー２９の付勢力を超える衝撃力が加わった場合には、曜星車２１が予期せぬ回転を起こし、窓１３１に表示される曜表示がずれる虞がある。
【０１４３】
しかし、外周面２７ｃが、隣接する２つの歯２１ａに当接している期間中は、曜星車２１の回転を強固に阻止するため、そのような衝撃力が加わっても、曜表示がずれるのを阻止することができ、見栄えが損なわれるのを防止することができる。
【０１４４】
しかも、本実施形態２のアナログ電子時計２００は、実施形態１のアナログ電子時計に比べて、曜表示切替え期間が極めて短い（実施形態１は２時間強、実施形態２は１分間から３分間程度）ため、通常送り期間以外の期間（つまり、曜表示切替え期間）に曜星車２１に衝撃力が加わる確率自体を低くすることができる。
【０１４５】
なお、本実施形態２のアナログ電子時計２００は、空転溝２６ｄが曜回し歯車２６の回転中心Ｃ１回りに３／４回転分（約２７０°の角度範囲）に亘って形成されたものであるが、空転溝２６ｄの形成範囲は、この角度範囲に限定されるものではない。
【０１４６】
すなわち、空転溝２６ｄが曜回し歯車２６の回転中心Ｃ１回りにα°（０°＜α＜３６０°）の角度範囲に亘って形成されたものでもよく、この場合、曜板２２の曜表示を切り替える期間に切り替えるべき曜表示の数をｐ（本実施形態２では、ｐ＝２（図３の曜板２２の場合））としたとき、制御部１２０は、曜表示を切り替える期間（午前０時からの数分間）に、曜回し歯車２６を正転向きに｛（ｐ−１）×３６０°＋α°｝の角度だけ高速で回転させるように、高い周波数の制御信号（６４Ｈｚ運針の制御信号）を出力し、その後、曜回し歯車２６を反転向きにα°の角度だけ高速で巻き戻すように、高い周波数の制御信号（６４Ｈｚ運針の制御信号）を出力するものとすればよい。
【０１４７】
ただし、α°は、曜表示の切替え期間の開始時に、曜回し歯車２６を正転向きにこの角度α°だけ回転させたとき、曜表示を１つ送ることができる大きさの角度以上であることを要する。
【０１４８】
この構成によれば、最初の正転向きへの高速送りによって、角度｛（ｐ−１）×３６０°＋α°｝のうちの最初の角度α°の送り分で曜表示を１個、その後の角度｛（ｐ−１）×３６０°｝の送り分で曜表示を（ｐ−１）個、それぞれ送るため、両者の合計で、曜表示を必要数ｐ個だけ早送りすることができる。このとき時針１４０は、角度α°に対応する時間だけ現実の時刻よりも進んでいる。
【０１４９】
なお、角度｛（ｐ−１）×３６０°｝の送り分は、時間換算で、２４時間の倍数に相当するため、時針１４０の指示に実質的な影響を及ぼさない。
【０１５０】
その後、角度α°だけ曜回し歯車２６を反転向きに送ると、曜回し歯車２６および時針１４０はそれぞれ角度α°だけ巻き戻され、時針１４０の指示は、角度α°に対応する時間分戻されて、現実の時刻に一致させることができる。
【０１５１】
一方、曜回し歯車２６の反転向きへの角度α°の回転では、曜回し爪体２７のピン２７ｆが空転溝２６ｄの端部に当たらないため、曜回し爪体２７は回転せず、したがって、正転早送りにより切り替えられた曜表示の数はｐ個のままとなり、この数ｐは、曜表示の必要送り数であるから、現実の曜表示を正しく表示させることができる。
【０１５２】
ところで、このように構成された実施形態２のアナログ電子時計２００を、例えば時差がマイナスとなる地域で使用する場合、時針１４０が指示する時刻を巻き戻すとともに、午前０時を跨いで前日の時刻に巻き戻す場合には、曜表示も前日の曜表示に戻す必要がある。
【０１５３】
以下、この曜表示および時刻指示の意図的な修正動作について、図１４および図１５を参照して説明する。
【０１５４】
この例示では、図１４（ａ）に示す状態が、現実の日曜日午後９時に対応した状態を示し、図１２（ａ）に示した状態と同じである。ここで、時針１４０は現実の時刻である午後９時を正確に指し示し、曜板２２は現実の曜である日曜を、英語表記の曜表示群ＥＣの曜表示「ＳＵＮ」で正確に表示しているものとする。
【０１５５】
この状態から、時差のある地域（例えば、現実の曜、時刻が土曜日の午後１１時の地域）での使用のため、時刻換算で時差−２２時間の修正を制御部１２０に指示する。この指示内容のセットは、例えば修正しようとする時差を指し示す、図示しない修正時差入力用の指針などを設けて、竜頭への操作によって、この修正時差入力用指針に、「−２２時間」をセットする等して行われる。
【０１５６】
そして、この修正時差入力用指針にセットされた内容が、制御部１２０に入力され、制御部１２０が、この入力された内容にしたがって、以下に説明する時針１４０による時刻の指示および曜板２２による曜表示の修正動作を行う。
【０１５７】
まず、図１４（ａ）に示す状態で、制御部１２０が、時針１４０を反転向きに、かつ高速に巻き戻すための高周波数の制御信号（６４Ｈｚ運針（反対向き））を約５９秒間（厳密には、５９．０６２５（＝６０×２４×２１／８×１／６４）秒間）出力する。
【０１５８】
この約５９秒間という出力時間は、筒車１４２ｅを反転向きに早送りで２１／４回転させるための時間（曜回し歯車２６を反転向きに早送りで２１／８回転させるための時間）である。
【０１５９】
この約５９秒間のうち最初の約１７秒後（厳密には、１６．８７５（＝６０×２４×３／４×１／６４）秒後）は、図１４（ｂ）に示すように、曜回し歯車２６の空転溝２６ｄが曜回し爪体２７のピン２７ｆに当たらないため、曜回し歯車２６だけが回転し、曜回し爪体２７は回転しない。
【０１６０】
そして、最初の約１７秒間が経過した後は、図１４（ｂ）に示す状態から、曜回し歯車２６の空転溝２６ｄの反転向き（矢印Ｒ′方向）の後側端部に曜回し爪体２７のピン２７ｆが当たり、曜回し爪体２７は曜回し歯車２６と一体的に連れ回り、曜回し歯車２６の回転し始めから約２０秒後（厳密には、１９．６８７５（＝６０×２４×７／８×１／６４）秒後）は、図１４（ｃ）に示す状態となる。
【０１６１】
そして、図１４（ｃ）に示す状態から約３９秒後（厳密には、３９．３７５（＝６０×２４×７／４×１／６４）秒後）、すなわち、曜回し歯車２６の回転し始めから約５９秒後には、図１５（ａ）に示す状態に達し、この間に曜回し爪体２７の爪２７ａが曜星車２１の歯２１ａに２回当たっているため、曜星車２１は、歯２１ａの２歯分だけ戻されて、曜板２２は、英語の曜表示群ＥＣの曜表示「ＳＡＴ」を表示しており時差修正後の現実の曜である土曜を正確に表示している。
【０１６２】
一方、図１５（ａ）に示す状態における、時針１４０の指示は、図１４（ａ）に示した状態（午後９時を指示した状態）から反転向きに２１／４回転（４回転（＝４８時間相当）＋５／４回転（１５時間相当））されているため、午前６時を指し示している。
【０１６３】
次に、時輪列１４２を正転向きに早送り駆動するように、制御部１２０は、高周波数の制御信号（６４Ｈｚ運針の信号）を、約１７秒間（厳密には、１６．８７５（＝６０×２４×３／４×１／６４）秒間）出力する。
【０１６４】
これにより、図１５（ｂ）に示すように、曜回し歯車２６は正転向きに３／４回転分早送りされるが、曜回し歯車２６の空転溝２６ｄが曜回し爪体２７のピン２７ｆに当たらないため、曜回し歯車２６だけが回転し、曜回し爪体２７は回転しない。すなわち曜板２２は英語の曜表示群ＥＣの曜表示「ＳＡＴ」を正しく表示した状態を維持している。
【０１６５】
一方、時針１４０は、１８時間分早送りされて午前０時を指し示し、現実の時刻午後１１時よりも１時間進んだ状態となっている。
【０１６６】
そこで、制御部１２０は、時輪列１４２を反転向きに高速に巻き戻すために、高周波数の制御信号（６４Ｈｚ運針の信号）を、約１秒間（厳密には、０．９３７５（＝６０×２４×１／２４×１／６４）秒間）出力する。
【０１６７】
これにより、時針１４０は、１時間分巻き戻されて午後１１時を指し示し、現実の時刻午後１１時に一致する。
【０１６８】
一方、図１５（ｃ）に示すように、曜回し歯車２６は反転向きに１／２４回転分巻き戻されるが、曜回し歯車２６の空転溝２６ｄが曜回し爪体２７のピン２７ｆに当たらないため、曜回し歯車２６だけが回転し、曜回し爪体２７は回転せず、曜板２２は英語の曜表示群ＥＣの曜表示「ＳＡＴ」を正しく表示した状態を維持する。
【０１６９】
以上の作用により、前日に戻る時差の調整も適正に実現することができる。
【０１７０】
なお、上述した時差調整の作用は、曜回し爪体２７の爪２７ａの基準位置を、通常送り期間における時刻午前０時に対応した位相位置としており、高速で巻き戻した際にも、曜回し爪体２７の爪２７ａを一旦、基準位置で停止させる手順（図１５（ａ））を採用しているため、この反転操作の後に、時針１４０の指示時刻の調整のために、正転→反転、という２段階の高速回転を行うものであるが、爪２７ａを基準位置で一旦停止させることに拘束されない手順を採用することもできる。
【０１７１】
すなわち、最初に高速で巻き戻す際に、曜回し爪体２７の爪２７ａの停止予定位置を、通常送り期間における時刻午後１１時（時差調整後の現実の時刻）に対応した位相位置とする（制御部１２０が、時針１４０を反転向きに、かつ高速に巻き戻すための高周波数の制御信号（６４Ｈｚ運針（反対向き））を６０秒間（＝６０×２４×６４／２４×１／６４）出力する）。
【０１７２】
これにより、曜回し爪体２７は、爪２７ａが曜星車２１の歯２１ａを２歯分戻す（曜板２２は、英語の曜表示群ＥＣの曜表示「ＳＡＴ」を正しく表示）とともに、通常送り期間における時刻午後１１時に対応した位相位置で停止する。一方、時針１４０は、午前５時を指し示す。
【０１７３】
ここから、曜回し爪体２７のピン２７ｆが曜回し歯車２６の空転溝２６ｄに当たらない最大の回転角度（曜回し歯車２６の３／４回転分）だけ、時輪列１４２を正転向きに早送りする（制御部１２０が、時針１４０を正転向きに、かつ高速に送るための高周波数の制御信号（６４Ｈｚ運針）を約１７秒間（厳密には、１６．８７５（＝６０×２４×１８／２４×１／６４）秒間）出力する）。
【０１７４】
これにより、曜回し歯車２６の空転溝２６ｄが曜回し爪体２７のピン２７ｆに当たらないため、曜板２２は英語の曜表示群ＥＣの曜表示「ＳＡＴ」を正しく表示した状態を維持する。一方、時針１４０は、午前５時の指示状態から１８時間分早送りされて、時差修正後の現実の時刻である午後１１時を正しく指し示し、修正動作は終了する。
【０１７５】
この手順によれば、反転→正転、という２段階の動作で修正動作を終了することができ、図１４、１５に示した手順である、反転→正転→反転、という３段階の動作よりも完了までに要する時間をさらに短縮することができる。一方、爪２７ａを常に、所定の位相位置（午前０時という基準位置）に一旦セットする動作を行う図１４、１５に示した手順は、基準位置に対する位置関係に基づいた動作であるため、動作が正確であるとともに、制御内容を定型化することができ結果的に処理内容を簡単化することができる。
【０１７６】
なお、本実施形態２のアナログ電子時計２００に備えられた曜回し車２５の曜回し爪体２７は、図１１に示すように、曜星車２１の歯２１ａに当たって曜星車２１を間欠的に駆動させる爪２７ａを１つしか有していないものであるが、例えば図１６に示すように、曜星車２１の歯２１ａに当たって曜星車２１を間欠的に駆動させる爪を２つ（爪２７ａおよび爪２７ｂ）有するものであってもよい。
【０１７７】
この場合、曜車２０を送る際の時針１４０の運針量が半分で済み、曜車２０の表示切替えを素早く完了することができる。
（実施形態３）
次に、本発明に係るアナログ電子時計の実施形態３について説明する。この実施形態３に係るアナログ電子時計２００は、基本的な構成において実施形態１と同一である。すなわち、外観は図１に示す通りであり、基本的構成のブロックは図２に示す通りである。
【０１７８】
そして、実施形態３が実質的に実施形態１と相違する点は、曜回し車２５と、曜回し車２５を含めた曜板駆動用輪列機構２３のギヤ比と、制御部１２０による制御信号の切替えタイミングと、である。
【０１７９】
この実施形態３のアナログ電子時計２００で用いられる曜板２２は、図３に示した、各曜表示群ＥＣ，ＪＣにそれぞれ属する曜表示ごとに英語表記と日本語表示とが交互に並んだものである。したがって、このアナログ電子時計２００は、曜表示の切替え期間に曜表示を２つ分送ることが求められる。
【０１８０】
そして、曜板駆動用輪列機構２３のギヤ比は、制御部１２０が通常送り期間に対応して出力する制御信号（１分運針の信号）によれば、７２（＝（ｍ＋１）×２４；ただし、ｍ＝２）時間で１回転するようにタイミングが設定されている。
【０１８１】
また、この実施形態３のアナログ電子時計２００に備えられる曜回し車２５は、図１７に示すように、その１回転ごとに曜星車２１の歯２１ａを２歯ずつ送るために、爪を２つ備えている（爪２５ａ（間欠伝達部）および爪２５ｂ（間欠伝達部））。
【０１８２】
この結果、曜回し車２５を１日に１回転させることにより、爪２５ａ，２５ｂがそれぞれ曜星車２１の歯２１ａを１つずつ送り、これによって、１日に送るべき２個の曜表示を、曜回し車２５の１回転で送ることができる。
【０１８３】
さらに、図６（ａ）に示した曜回し車２５と同様に、曜星車２１の隣接する２つの歯２１ａに当接する凸部の外周面２５ｃ（曜表示回転阻止部）が形成されており、この外周面２５ｃの、２つの歯２１ａが同時に当接する回転中心Ｃ１回りの角度γ°（γ＜１２０°かつγ≒１２０°）の範囲では、不測の衝撃力の入力によって曜星車２１が動くのを阻止することができる。
【０１８４】
また、この実施形態３のアナログ電子時計２００は、この角度γ°の範囲に２つの歯２１ａが同時に当接している期間が通常送り期間となるように設定されており、γ＜１２０°かつγ≒１２０°であるから、曜星車２１の２つの歯２１ａが同時に外周面２５ｃに当接している状態（図１８（ａ）参照）の時間は、２４時間未満の略２４時間となる。
【０１８５】
ここで、２つの歯２１ａが同時に当接する外周面２５ｃの角度γ°の範囲のうち、曜回し車２５が正転向き（矢印Ｒ方向）に回転しているときの後側端部γ１に、これら２つの歯２１ａの中心が位置した状態（図１８（ｂ）参照）が、例えば現実の時刻午前０時に対応している。
【０１８６】
そして、この状態から、曜回し車２５が正転向きに回転しているときの前側端部γ２に、これら２つの歯２１ａの中心が位置した状態までの期間が、曜表示切替え期間に設定されている。
【０１８７】
この曜表示切替え期間においては、前述した各実施形態１，２と同様に、制御部１２０が、通常送り期間に出力される制御信号（１分運針の信号）よりも高周波数の制御信号（６４Ｈｚ運針の信号）を出力する。
【０１８８】
この作用により、曜回し車２５は正転向きに高速で回転する曜表示切替え期間に移行する。そして、この曜表示切替え期間は、約４５（＝６０[ステップ／時間]×４８[時間]／６４[ステップ／秒]；なお、式中の４８[時間]は、通常送り期間の制御信号で換算した場合における曜回し車２５の１回転の周期である７２[時間]から、通常送り期間（約２４[時間]）を差し引いた時間を表す）秒間で終了し、この期間に、図１８（ｃ）に示すように、各爪２５ａ，２５ｂが曜星車２１の歯２１ａを２歯分送り、これにより、１日に送るべき２個の曜表示を、曜回し車２５の１回転で送ることができる。
【０１８９】
また、曜回し車２５は、通常送り期間に対応した制御信号によれば７２時間で１回転するところ、通常送り期間に対応した制御信号は約２４時間だけ出力されて、γ°（≒１２０°）の角度範囲だけ回転し、残りの、通常送り期間に対応した制御信号によれば約４８時間を要する回転角度２４０°（＝３６０°−１２０°）の範囲は、高周波数の制御信号（４５Ｈｚ運針の信号）により、約４５秒間で回転し、曜回し車２５は全体として略２４時間で１回転する。
【０１９０】
したがって、曜回し車２５が１回転する間に、時針１４０は正確に２４時間の時刻を刻むことができる。
【０１９１】
曜表示切替え期間が終了した後は、制御部１２０は通常送り期間に対応した１分運針の制御信号を出力し、この通常送り期間は、その後約２３時間５９分１５秒間続行され、その後に次の４５秒間で曜表示切替え期間が実行される。
【０１９２】
以上のように、本実施形態３に係るアナログ電子時計２００によれば、曜板２２は、時・曜系モータ１４１ｂの駆動力を時針１４０に伝達する時輪列１４２から分岐された曜板駆動用輪列機構２３によって駆動力が伝達されるため、曜板２２の曜表示の切替え（送り）に要する駆動力は、時針１４０を駆動する時・曜系モータ１４１ｂによってまかなわれ、したがって、曜板２２を駆動するための専用の新たな動力源を追加する必要がない。よってサイズの大型化を回避することができるとともに、製造コストの上昇も抑えることができる。
【０１９３】
また、計時部１１０の計時内容を表示するための制御信号を出力する制御部１２０が、曜板２２の曜表示を切り替える期間に、時針１４０によって時刻を表示する通常送り期間よりも高い周波数の制御信号を出力することによって、曜表示の切替期間は曜板駆動用輪列機構２３を早送りすることができ、曜表示の切替えに要する時間を短縮することができる。
【０１９４】
しかも、制御部１２０から出力される制御信号の周波数を変化させるだけの簡単な構成で、曜板２２の曜表示を早送りで切り替えることができる。
【０１９５】
また、本実施形態３のアナログ電子時計２００は、単一の曜板２２に、２種類の言語表記の曜表示群が表され、通常送り期間は、これら２種類の曜表示群のうち一方（本実施形態３では例えば英語）の曜表示群ＥＣに属する曜が表示されるように、制御部１２０は、制御信号の出力を制御しているため、単一の曜板２２によって、２種類の言語表記での曜表示を行うことができる。
【０１９６】
ここで、図３に示した曜板２２は、その回転中心Ｃを中心とする周方向について、２種類の曜表示群ＥＣ，ＪＣにそれぞれ属する曜の表示ごとに２種類の言語が隣り合うように表されているため、上述した本実施形態３の制御内容、すなわち通常送り期間と曜の表示を切り替える期間（高速で早送りする期間および高速で巻き戻す期間）の割合や動作時刻等を、３６５日の毎日について同一に設定することができ、制御部１２０の制御処理を簡単化することができる。
【０１９７】
また、本実施形態３に係るアナログ電子時計２００は、曜板駆動用輪列機構２３が、曜板２２に固定された曜星車２１と、時輪列１４２の連続的駆動力を受けて間欠的駆動力に変換し、この間欠的駆動力を曜星車２１に伝達する爪２５ａを有する曜回し車２５（間欠駆動手段）とを備えているため、曜表示の切替えは、爪２５ａが間欠的駆動力を曜星車２１に伝達する期間だけであり、曜表示の切替えの際に高い周波数（６４Ｈｚ運針）で駆動されることによる時針１４０の不自然な動きを、時針１４０が正常に駆動される通常送り期間（１分運針）に比べて、極めて短時間で済ませることができる。具体的には、本実施形態３では、英・日交互タイプの曜板２２（図３）で、毎日約１分間弱で、完了することができる。
【０１９８】
さらに、曜板駆動用輪列機構２３は、曜板２２に表された曜表示の数の自然数倍（実施形態３では、１に設定されている。）の数の歯２１ａを有する曜星車２１と、曜星車２１の歯２１ａを間欠的に送る爪２５ａを有する曜回し車２５とを備えているため、曜星車２１と曜回し車２５とを、既知のゼネバ機構として構成することができる。
【０１９９】
また、本実施形態３のアナログ電子時計２００は、曜板２２の曜表示を切り替える期間に切り替えるべき曜の数が２個であり、曜回し車２５は、間欠的駆動力を曜板２２の２個の曜表示を切り替えるのに必要な回数に対応する２個の爪２５ａ，２５ｂを有するため、曜回し車２２を一体構造の簡単な構成で実現することができる。
【０２００】
さらに、本実施形態３のアナログ電子時計２００は、曜回し車２５が、通常送り期間に対応した周波数の制御信号によっては７２（＝（ｍ＋１）×２４；ただし、ｍ＝２）時間で１回転するように形成され、制御部１２０は、２４時間を超えない略２４時間は、通常送り期間に対応した１分運針の制御信号を出力し、２４時間のうち通常送り期間を除いた残りの期間に、全ての爪２５ａ，２５ｂが曜星車２１の歯２１ａにそれぞれ間欠的駆動力を伝達するように、６４Ｈｚ運針の制御信号を出力して、曜回し車２５を１回転させるため、簡単な構造で、かつ短時間のうちに、必要な曜表示の送り個数を、送ることができる。
【０２０１】
さらに、本実施形態３に係るアナログ電子時計２００は、曜板駆動用輪列機構２３が分岐するのが、時針１４０に駆動力を伝達する時輪列１４２であるため、秒針用や分針用の秒・分系輪列１５２から分岐させるものよりも、曜板２２の早送りを、短時間で完了させることができる。
【０２０２】
また、本実施形態３に係るアナログ電子時計２００は、図１８に示すように、曜回し車２５の外周面２５ｃ（曜表示回転阻止部）は、通常送り期間において曜車２０の回転を阻止する機能を有する。
【０２０３】
すなわち、曜回し車２５の外周面２５ｃが、曜星車２１の隣接する２つの歯２１ａに当接する。
【０２０４】
この凸部外周面２５ｃのうち、当接する２つの歯２１ａの間に位置する部分が、曜星車２１が回転したときの歯２１ａの歯先の回転軌跡よりも、回転軌跡内側に入り込むように形成されているため、この状態では、曜星車２１は回転不可能となり、曜車２０の回転が阻止される。
【０２０５】
曜星車２１は、曜ジャンパー２９による付勢力で、ある程度拘束されており、自由な回転が抑制されているが、この付勢力は、爪２５ａが歯２１ａを押圧して曜星車２１を送る際の障害にならない程度の微弱なものであるため、曜ジャンパー２９の付勢力を超える衝撃力が加わった場合には、曜星車２１が予期せぬ回転を起こし、窓１３１に表示される曜表示がずれる虞がある。
【０２０６】
しかし、外周面２５ｃが、隣接する２つの歯２１ａに当接している期間中は、曜星車２１の回転を強固に阻止するため、そのような衝撃力が加わっても、曜表示がずれるのを阻止することができ、見栄えが損なわれるのを防止することができる。
【０２０７】
しかも、本実施形態３のアナログ電子時計２００は、実施形態１のアナログ電子時計に比べて、曜表示切替え期間が極めて短い（実施形態１は２時間強、実施形態３は１分間弱）ため、通常送り期間以外の期間（つまり、曜表示切替え期間）に曜星車２１に衝撃力が加わる確率自体を低くすることができる。
【図面の簡単な説明】
【０２０８】
【図１】本発明に係るアナログ電子時計の実施形態１（実施形態２，３の基本構成）を示す外観図である。
【図２】図１に示したアナログ電子時計の基本的な構成を示すブロック図である。
【図３】曜板上の曜表示ごとに英語と日本語が交互配置された形式の曜車を表す外観図である。
【図４】曜板上の英語の曜表示群、日本語の曜表示群ごとに集中配置された形式の曜車を表す外観図である。
【図５】図２に示した基本的な構成の、ムーブメントにおける物理的な配置の具体例を示す図である。
【図６】曜回し車が曜星車を送る作用を説明する図（その１）であり、（ａ）は、内部の動きを示す図、（ｂ）は外観上の曜表示の状態を示す図、をそれぞれ表す。
【図７】曜回し車が曜星車を送る作用を説明する図（その２）であり、（ａ）は、内部の動きを示す図、（ｂ）は外観上の曜表示の状態を示す図、をそれぞれ表す。
【図８】曜回し車が曜星車を送る作用を説明する図（その３）であり、（ａ）は、内部の動きを示す図、（ｂ）は外観上の曜表示の状態を示す図、をそれぞれ表す。
【図９】曜回し車が曜星車を送る作用を説明する図（その４）であり、（ａ）は、内部の動きを示す図、（ｂ）は外観上の曜表示の状態を示す図、をそれぞれ表す。
【図１０】曜回し車の外周面が曜星車の回転を阻止する様子を示す図である。
【図１１】本発明に係るアナログ電子時計の実施形態２に備えられた２体式の曜回し車を示す分解斜視図である。
【図１２】図１１に示した曜回し車を備えた実施形態２による曜表示の切替えの作用を、時系列的に説明する図（その１）である。
【図１３】図１１に示した曜回し車を備えた実施形態２による曜表示の切替えの作用を、時系列的に説明する図（その２）である。
【図１４】図１１に示した曜回し車を備えた実施形態２による時差修正など意図的な修正時の作用を、時系列的に説明する図（その１）である。
【図１５】図１１に示した曜回し車を備えた実施形態２による時差修正など意図的な修正時の作用を、時系列的に説明する図（その２）である。
【図１６】本発明に係るアナログ電子時計の実施形態２に備えられた２体式の曜回し車の、他の形態を示す分解斜視図である。
【図１７】本発明に係るアナログ電子時計の実施形態３に備えられた曜回し車を示す斜視図である。
【図１８】図１７に示した曜回し車を備えた実施形態３による曜表示の切替えの作用を、時系列的に説明する図である。
【符号の説明】
【０２０９】
２２      曜板（曜表示手段）
２３      曜板駆動用輪列機構（曜表示駆動機構）
１００    ムーブメント
１１０    計時部（計時手段）
１２０    制御部
１４０    時針（指針）
１４１    動力源
１４１ａ  時・曜系モータドライバ
１４１ｂ  時・曜系モータ
１４２    時輪列（指針駆動機構）
１００    ムーブメント
２００    アナログ電子時計
Ｃ，Ｃ１  回転中心
【図１】
2008070239.tif 000003
【図２】
2008070239.tif 000004
【図３】
2008070239.tif 000005
【図４】
2008070239.tif 000006
【図５】
2008070239.tif 000007
【図６】
2008070239.tif 000008
【図７】
2008070239.tif 000009
【図８】
2008070239.tif 000010
【図９】
2008070239.tif 000011
【図１０】
2008070239.tif 000012
【図１１】
2008070239.tif 000013
【図１２】
2008070239.tif 000014
【図１３】
2008070239.tif 000015
【図１４】
2008070239.tif 000016
【図１５】
2008070239.tif 000017
【図１６】
2008070239.tif 000018
【図１７】
2008070239.tif 000019
【図１８】
2008070239.tif 000020